(57)【要約】【課題】利用者それぞれがパターヘッドのテイクバックの大きさと予想転がり距離を互いに関連する数値として認識しながら練習を行なうことが可能であり、もって実際にゴルフ場でプレーをするに際して現場のシチュエーションに応じて上記予想転がり距離を実際の転がり距離に換算のうえ、テイクバックをどの程度の大きさにしたら良いかを予め数値的に知ったうえでプレーをすることができる、このようなプレーを可能とするパッティング練習機を提供する。【解決手段】当該練習機１は、ゴルフのパッティング練習に際してボール２１をセットするボールセット部４と、ボールセット部４の打球方向後方に配置され、スイング時におけるパターヘッドのテイクバックの大きさを読み取るための目盛り部５と、ボールセット部４の打球方向前方に配置され、打ったボール２１の予想転がり距離を表示する転がり距離表示部とを有している。【選択図】図３
2005152075.tif 000002
【特許請求の範囲】
【請求項１】
ゴルフのパッティング練習に際してボール（２１）をセットするボールセット部（４）と、前記ボールセット部（４）の打球方向後方に配置され、スイング時におけるパターヘッドのテイクバックの大きさを読み取るための目盛り部（５）と、前記ボールセット部（４）の打球方向前方に配置され、打ったボール（２１）の予想転がり距離を表示する転がり距離表示部（７）とを有することを特徴とするパッティング練習機。
【請求項２】
請求項１のパッティング練習機において、
転がり距離表示部（７）は、打ったボール（２１）の転がり速度を任意の２点間の通過時間から計測してこの計測値を予想転がり距離に換算して表示するものであることを特徴とするパッティング練習機。
【請求項３】
請求項１または２のパッティング練習機において、
スイング時におけるパターヘッドの振り子運動をガイドするよう曲面状に形成され、パッティング練習に際してボール（２１）をセットする長孔状のボールセット部（４）を設け、打ったボール（２１）がその下面側を転がっていくガイド板（２）を有し、
前記ボールセット部（４）の打球方向後方であって前記ガイド板（２）の上面に目盛り部（５）を設け、前記ボールセット部（４）の打球方向前方であって前記ガイド板（２）の下面側に転がり距離表示部（７）を設け、前記転がり距離表示部（７）における数値表示部（１０）はこれを前記ガイド板（２）に設けた窓部（１５）から視認可能としたことを特徴とするパッティング練習機。
【発明の詳細な説明】
【技術分野】
【０００１】
本発明は、ゴルフのパッティング練習に用いられるパッティング練習機に関するものである。
【背景技術】
【０００２】
パターで必ず入るパターも無ければ、絶対入らないパターも無い。ただ個人差によるパターの善し悪しは有る。それはその人の体力や運動神経またはパッティングフォーム等による。もしその人にそのパターの商品コンセプトが合致するならば、その人にとってそのパターは「良く入るパター」ということになる。したがって市場には無数のタイプのパターが氾濫している。このような状況のもとで本願発明者らは、振り子タイプのパターにおいて、身長や体重、そしてパッティングスタイルの違い等をカバーするために、パターグリップの選択や長さ調整のできる取付けシステム、パターヘッドの重さをデザインに組み込んだウエイト調整などが可能なパターと、このパターとともに利用するのに適したパター練習機とを開発した。このうち本発明は、パター練習機に関するものである。
【０００３】
ショートパットでフックやスライスなどの難しいラインのときは打球の方向性に劣らずボールからカップまでの距離感が重要であり、またロングパットでスリーパットしてしまうのは方向性よりも距離感の誤算の方が圧倒的に多い。多くのアマチュアゴルファーはボールからカップまでの距離を数値的に捉えることなくただ漠然とした感覚でプレーをしており、その結果に対してそれを修正しようという意識もなく一喜一憂しているのが現状である。
【０００４】
ここでは、振り子理論を駆使してパターヘッドのテイクバックの大きさとボールの転がり距離との関係を考察してみる。振り子運動は周知のように１振幅のなかで速度０から始まって速度０で終わり、最下点において速度が最も速い。したがって振幅の大きさ如何によって最下点における速度が変化するとすれば、テイクバックの大きさとボールの転がり距離との関係は定数化できるはずである。しかしながら現状のパターとグリーンの芝とを前提として考えると、振り子の力だけでは打球力に限界があり、プレーヤーの腕力による加力が必要となる。つまり距離感はテイクバックの大きさと腕による加力とによるものだといえる。したがってテイクバックの大きさと腕による加力とを一体としたパッティングフォームを会得することができれば、グリーン上でのプレーヤーの思考は例えば「ボールからカップまで４ｍある。このグリーンは速いからマイナス１ポイントですなわち３ｍと考える。加えて上りで逆目だからプラス０．５ポイントですなわち３．５ｍと考える。自分のパッティングフォームによるとボールを３．５ｍ転がすにはテイクバックは１１ｃｍであるから、この場合はテイクバックを１１ｃｍとしていつもの力でボールを打てば良い。」と、このようになる。
【０００５】
本発明はこのような思考およびこのような思考に基づくプレーを可能とするパッティングフォームを日頃の練習により会得するために用いられるパッティング練習機を提供することを目的とする。
【０００６】
尚、従来、パッティング練習機として様々なものが開発されている。例えば特開２００３−１９２３８号公報（特許文献１）には、長期に亙ってパッティング練習に使用でき、しかも練習に対する興味を損なうことのないものとして、ほぼ等しい幅で長手方向に延びる帯状をなし、一端側にカップ穴が形成され、他端側にパッティングを行なうパッティング部位が設けられた人工芝マットと、該人工芝マットの一端側の裏面に取り付けられ、上記一端側に向けて高くなるように傾斜した傾斜台と、該傾斜台に幅方向の傾斜を与える傾斜脚と、上記人工芝マットの裏面に長手方向に並べて取り付けられて上記人工芝マットの波うちを阻止する一方、長手方向に相互に所定の間隔があけられて上記人工芝マットの折り畳みを許容する複数の支持板とを備えたことを特徴とするゴルフのパッティング練習用マットが掲載され、また特開平９−９９１２６号公報（特許文献２）には、１本のパターを練習用と本番用の両方に同じように使え、練習時にボールをまっすぐ打つことを「からだ」に覚えさせるものとして、ヘッドのソール面に脱着可能にガイド部を突設し、マットに該ガイド部が内部を移動する直線的なガイド溝を形成し、パターのガイド部をマット上のガイド溝内を移動するようにしたことを特徴とするゴルフのパッティング練習具が掲載されているが、これらはいずれも上記の思考やそれに基づくプレーの育成に役立つものではない。
【０００７】
【特許文献１】特開２００３−１９２３８号公報
【特許文献２】特開平９−９９１２６号公報
【発明の開示】
【発明が解決しようとする課題】
【０００８】
本発明は以上の点に鑑みて、利用者それぞれがテイクバックの大きさと予想転がり距離とを互いに関連する数値として認識しながら練習を行なうことが可能であり、もって実際にゴルフ場でプレーをするに際して現場のシチュエーションに応じて上記予想転がり距離を実際の転がり距離に換算のうえ、テイクバックをどの程度の大きさにしたら良いかを予め数値的に知ったうえでプレーをすることができる、このようなプレーを可能とするパッティング練習機を提供することを目的とする。
【課題を解決するための手段】
【０００９】
上記目的を達成するため、本発明の請求項１によるパッティング練習機は、ゴルフのパッティング練習に際してボールをセットするボールセット部と、前記ボールセット部の打球方向後方に配置され、スイング時におけるパターヘッドのテイクバックの大きさを読み取るための目盛り部と、前記ボールセット部の打球方向前方に配置され、打ったボールの予想転がり距離を表示する転がり距離表示部とを有することを特徴とするものである。
【００１０】
また、本発明の請求項２によるパッティング練習機は、上記した請求項１のパッティング練習機において、転がり距離表示部は、打ったボールの転がり速度を任意の２点間の通過時間から計測してこの計測値を予想転がり距離に換算して表示するものであることを特徴とするものである。
【００１１】
また、本発明の請求項３によるパッティング練習機は、上記した請求項１または２のパッティング練習機において、スイング時におけるパターヘッドの振り子運動をガイドするよう曲面状に形成され、パッティング練習に際してボールをセットする長孔状のボールセット部を設け、打ったボールがその下面側を転がっていくガイド板を有し、前記ボールセット部の打球方向後方であって前記ガイド板の上面に目盛り部を設け、前記ボールセット部の打球方向前方であって前記ガイド板の下面側に転がり距離表示部を設け、前記転がり距離表示部における数値表示部はこれを前記ガイド板に設けた窓部から視認可能としたことを特徴とするものである。
【００１２】
上記構成を備えた本発明のパッティング練習機はこれを、以下のように使用する。尚、ここでは一例として、目盛り部の目盛り表示が５ｃｍ毎（５ｃｍ、１０ｃｍ、１５ｃｍ、２０ｃｍ、２５ｃｍ）に設定されているものとする。
【００１３】
すなわち先ず、前段階として、パターヘッドを振り子のように真後ろにテイクバックし、真っ直ぐにフォローをとれるよう練習する。そして、テイクバックの大きさを５ｃｍ毎に正しくスイングできるようになったら、次にボールをボールセット部に置き、テイクバックの大きさを変えながらパッティングを繰り返し、転がり距離表示部に表示される数値をそれぞれ記録する。その平均値がその人のそれぞれの基本的パッティング強さとなる。そして、それを自分のパッティング強さと確定しても良いし、テイクバックの大きさと転がり距離との関係を例えば
テイクバック  ５ｃｍ・・・距離  １ｍ
１０ｃｍ・・・      ３ｍ
１５ｃｍ・・・      ５ｍ
２０ｃｍ・・・    １０ｍ
２５ｃｍ・・・    １５ｍ
のように自分の基礎体力に合わせて設定し、そのパッティング強さを会得することにより技術の確定を実現する。尚、実際のグリーン上では、ボールからカップまでのシチュエーション等により、打つ強さを加減することになる（例えば、ボールからカップまでの距離は７ｍだが、上りで逆目だから１０ｍの強さで打つなど）。
【発明の効果】
【００１４】
本発明は、以下の効果を奏する。
【００１５】
すなわち、上記構成を備えた本発明の請求項１または２によるパッティング練習機によると、利用者はテイクバックの大きさと予想転がり距離とを互いに関連する数値として認識しながら練習を行なうために、練習の成果として例えば「ボールからカップまでの距離が○ｍだからテイクバックの大きさを○ｃｍとしていつもの力で打てば良い。但し、このグリーンのシチュエーションからして力加減を○ｍ分減じる（または増す）ことにする。」といった思考に基づいてプレーをすることが可能となる。したがって、利用者は個々のパッティングに際してテイクバックをどのくらいの大きさにしたら良いかを予め数値的に知ったうえでプレーをすることになるために、安定した距離感を確保することができる。距離感が安定すれば、おのずとパッティング技術も向上する。
【００１６】
またこれに加えて、上記構成を備えた本発明の請求項３によるパッティング練習機においては、スイング時におけるパターヘッドの振り子運動をガイドする曲面状のガイド板が設けられているために、利用者はこのガイド板の曲面に沿ってパターヘッドを動かすことにより、振り子式のパッティングフォームを要領良く会得することができ、そのうえで上記したように正確な距離感を会得することができる。
【発明を実施するための最良の形態】
【００１７】
本発明において、ボールをセットするボールセット部の後方に目盛り部を配置するとともにボールセット部の前方に転がり距離表示部を配置するには、請求項３に記載したように曲面状のガイド板を設けて、このガイド板の後方側上面に目盛り部を設けるとともにガイド板の前方側下面側に転がり距離表示部を設けるのが好ましく、このようにすれば当該練習機の本体部分をすべて一体化して、その取り扱いに便宜を供することができる。また、ガイド板に設けた窓部に転がり距離の数値をデジタル表示するようにすれば、アドレスしている利用者にとって数値が読み取り易いものとなる。
【実施例】
【００１８】
つぎに本発明の実施例を図面にしたがって説明する。
【００１９】
図１（Ａ）は本発明の実施例に係るパッティング練習機１の平面図、同図（Ｂ）は正面図、図２（Ａ）は底面図、同図（Ｂ）は図１（Ｂ）におけるＡ−Ａ線断面図、図３は斜視図をそれぞれ示している。
【００２０】
当該実施例に係るパッティング練習機１は、ゴルフのパッティング練習に際してボール２１をセットするボールセット部４と、このボールセット部４の打球方向後方（図１（Ａ）において右方）に配置され、スイング時におけるパターヘッド（図示せず）のテイクバックの大きさを読み取るための目盛り部５と、ボールセット部４の打球方向前方（図１（Ａ）において左方）に配置され、打ったボール２１の予想転がり距離を表示する転がり距離表示部７とを有しており、更に詳しくは以下のように構成されている。
【００２１】
すなわち先ず、スイング時におけるパターヘッドの振り子運動をその下側からガイドするよう曲面状に形成されたガイド板（傾斜板とも称する）２が設けられており、このガイド板２がその幅方向（図１（Ａ）において上下方向）両側から一対の支持部（支持脚部とも称する）３，３によって固定的に支持されている。支持部３の長手方向長さ（全長）Ｌ１は約７１０ｍｍ、その打球方向後方側の端部３ａの高さｈ１は約２２ｍｍ、打球方向前方側の端部３ｂの高さｈ２は約１１４ｍｍ、幅ｗ１は約１８ｍｍ、当該練習機１全体の幅ｗ２は約１８６ｍｍの大きさに形成されている（いずれも実寸）。支持部３の内面にはそれぞれガイド板２を嵌め込むための溝状凹部（図示せず）が形成されており、ガイド板２はこの凹部に嵌め込まれたうえで一対の支持部３，３間に挟み込まれるようにして支持されている。
【００２２】
また、ガイド板２は、その打球方向後方側端部２ａから打球方向前方側端部２ｂへかけて、当初下り勾配を呈し次いで上り勾配を呈し、全体としてスイング時におけるパターヘッド（図示せず）の振り子運動をガイドするようなだらかな曲面状に形成されている。以後、打球方向後方側端部２ａから始まって下り勾配を呈し次いで上り勾配に転じてその高さが打球方向後方側端部２ａの高さと略同じに復帰する地点２ｃまでの部位を平面部２ｄ、それ以外の部位すなわち平面部２ｄの端部から打球方向前方側端部２ｂまでの部位をアール面部２ｅとも称する。
【００２３】
上記ガイド板２の平面において、アール面部２ｅが始まる当たりから打球方向前方へかけてはここに、ゴルフのパッティング練習に際してボール２１をセットするためのボールセット部４が設けられている。このボールセット部４はガイド板２に形成された孔としてガイド板２の幅方向中央に設けられており、その平面形状はガイド板２の長手方向に沿った略長円形とされている。利用者は当該練習機１の使用に際して図示するように、このボールセット部４の打球方向後方側端部４ａ位置にボール２１をセットする。尚、ボールセット部４自体は上記したようにガイド板２に形成された貫通孔に過ぎないので、ボール２１はこれを当該練習機１全体を載せるマット（図示せず）上に置くことになる。このボールセット部４の打球方向後方側端部４ａ位置におけるガイド板２上面の高さ位置は実寸で略８〜１０ｍｍ程度であるので、その上方でボール２１を打つことには何ら支障がない。ボールセット部４の幅は、打ったボール２１がその側辺部４ｂ，４ｂに当らないようボール２１の直径よりも大きく十分な幅寸法を有しており、またボールセット部４の打球方向前方側端部４ｃは、打ったボール２１がここに当らずその下側を通過して当該練習機１の前方（Ｂ方向）へ転がっていくようボール２１の直径よりも大きく十分な高さ寸法を有している。
【００２４】
ボールセット部４の打球方向後方であってガイド板２の上面には、スイング時におけるパターヘッドのテイクバックの大きさを利用者が読み取るための目盛り部５が設けられている。この目盛り部５は、ボールセット部４の打球方向後方側端部４ａ位置に設けられた１本の基準線５ａと、この基準線５ａから一定間隔毎に設けられた複数の目盛り線との組み合わせによって構成されており、当該実施例では、後者の複数の目盛り線が、基準線５ａから５ｃｍの位置に設けられた第一目盛り線５ｂと、１０ｃｍの位置に設けられた第二目盛り線５ｃと、１５ｃｍの位置に設けられた第三目盛り線５ｄと、２０ｃｍの位置に設けられた第四目盛り線５ｅと、２５ｃｍの位置に設けられた第五目盛り線５ｆとの５本の目盛り線によって構成されている。これらの線はいずれもガイド板２の幅方向に沿って延びる直線として形成されている。
【００２５】
また、ボールセット部４の打球方向後方および前方の双方であってガイド板２の上面には併せて、スイング時におけるパターヘッドのスイング方向を利用者に示すためのガイド部６が設けられている。このガイド部６は、ガイド板２の幅方向中央に幅方向対照的に設けられた２本のガイド線６ａ，６ａによって構成されており、２本のガイド線６ａ，６ａ間はボール２１略１個分の間隔に設定されている。これらの線はいずれもガイド板２の長手方向に沿って延びる直線として形成されている。
【００２６】
また、ボールセット部４の打球方向前方であってガイド板２の下面側には、一方の支持部３の内側に偏して、打ったボール２１の転がり速度を任意の２点間の通過時間から計測してこの計測値を予想転がり距離に換算して表示する転がり距離表示部（計測換算表示部とも称する）７が設けられている。この転がり距離表示部７は、図４に示すように、打ったボール２１の転がり速度を任意の２点間の通過時間から計測する計測部８と、この計測値を予想転がり距離に換算する換算部９と、換算数値を表示する数値表示部１０と、これらの作動用電源部１１とによって構成されており、これらの構成要素を収めたボックス状のケース１２が一方の支持部３の内面に取り付けられている。
【００２７】
計測部８は、ボール２１の転がり方向に沿って前後に並べられた２つの光センサ１３，１４を備えており、ボール２１が後方側センサ１３の正面を通過した時点から前方側センサ１４の正面を通過した時点までの通過時間を計測する。換算部９は通過時間またはこれから求められる転がり速度を予想転がり距離に換算する。転がり距離はボール２１の転がり抵抗によって変化するので、ボール２１が所定の転がり抵抗を発生させる所定のマット（図示せず）の上を転がるものとして通過時間または転がり速度を予想転がり距離に換算する。このマットは当該練習機１の備品として取り扱われる。電源としては一般家庭用電源が適しているので、電源部１１は差込みコンセント（図示せず）を備えているが、電源は乾電池などであっても良い。
【００２８】
また、予想転がり距離を表示する数値表示部１０は、数値を例えば「０．５５」ｍ、「１．６６」ｍ、「２．７７」ｍなどというように３桁の数字でデジタル表示するものであって、この数値を当該練習機１に対してアドレス位置に立った利用者が直ちに読み取ることができよう、ガイド板２に設けた窓部１５から視認可能とされている。
【００２９】
上記構成のパッティング練習機１はこれを、以下のように使用することになる。
【００３０】
すなわち先ず、利用者は当該練習機１の前に立ち、目盛り部５の基準線５ａの位置にパターヘッドを構え、ガイド板２の曲面およびガイド部６のガイド線６ａに沿ってパターヘッドを振り子のように真後ろにテイクバックし、真っ直ぐにフォローをとれるよう振り子式パッティングフォームの練習をする。パターヘッドはこれをガイド板２の上面に沿って移動させるが、ガイド板２の上面に直接接触させるわけではない。このフォームの練習を先ずテイクバックの大きさ５ｃｍで行ない、習得できたと判断したら、１０ｃｍ、１５ｃｍ、２０ｃｍ、２５ｃｍで順次行なう。利用者は目盛り部５の目盛り線５ｂ，５ｃ，５ｄ，５ｅ，５ｆを見ながらその線の位置までテイクバックをとることになる。
【００３１】
次いで、テイクバックの大きさを５ｃｍ毎に正しくスイングできるようになったら、ボール２１をボールセット部４の打球方向後方側端部４ａ位置（基準線５ａ位置）に置き、テイクバックの大きさを５ｃｍ、１０ｃｍ、１５ｃｍ、２０ｃｍ、２５ｃｍと順次変えながら、その人なりに一定の力を加えてパッティングを繰り返し、パッティングのたびに転がり距離表示部７の数値表示部１０に表示される数値を記録し、テイクバックの大きさ毎の平均値をとる。打ったボール２１はボールセット部４からガイド板２のアール面部２ｅの下面側を通過して前方（Ｂ方向）へ転がっていき、このとき転がり距離表示部７における計測部８のセンサ１３，１４の前を通過するので、通過時間から転がり速度が計測され、計測値が予想転がり距離に換算されて表示される。平均値は人によって異なるが、上記したように打球力はヘッドの振り子の力とプレーヤーの腕力による加力との和によって構成されるので、テイクバックの大きさを５ｃｍ、１０ｃｍ、１５ｃｍ、２０ｃｍ、２５ｃｍと順次変えると、予想転がり距離の数値がその人なりに段階的に増加することになる。
【００３２】
したがって、利用者は、加える力の大きさがいつも一定となるように繰り返し練習をすることにより、例えばテイクバックの大きさが５ｃｍのときは予想転がり距離がいつも１ｍ、テイクバックの大きさが１０ｃｍのときは予想転がり距離がいつも３ｍ、テイクバックの大きさが１５ｃｍのときは予想転がり距離がいつも５ｍ、テイクバックの大きさが２０ｃｍのときは予想転がり距離がいつも１０ｍ、テイクバックの大きさが２５ｃｍのときは予想転がり距離がいつも１５ｍといったパッティングフォームを確立することができる。
【００３３】
したがって、上記練習の成果として実際のグリーン上では、例えば「ボールからカップまでの距離が○ｍだからテイクバックの大きさを○ｃｍとしていつもの力で打てば良い。但し、このグリーンのシチュエーションからして力加減を○ｍ分減じる（または増す）ことにする。」といった思考に基づいてプレーをすることが可能となる。したがって、利用者は個々のパッティングに際してテイクバックをどのくらいの大きさにしたら良いかを予め数値的に知ったうえでプレーをすることになるために、安定した距離感を確保することが可能となる。得られるプレーは、上記数値を駆使する頭脳的プレーである。
【図面の簡単な説明】
【００３４】
【図１】本発明の実施例に係るパッティング練習機を示す図で、（Ａ）はその平面図、（Ｂ）はその正面図
【図２】同パッティング練習機を示す図で、（Ａ）はその底面図、（Ｂ）は図１（Ｂ）におけるＡ−Ａ線断面図
【図３】同パッティング練習機を示す斜視図
【図４】転がり距離表示部の構成説明図
【符号の説明】
【００３５】
１  パッティング練習機
２  ガイド板
２ａ，３ａ，４ａ  打球方向後方側端部
２ｂ，３ｂ，４ｃ  打球方向前方側端部
２ｃ  高さ復帰地点
２ｄ  平面部
２ｅ  アール面部
３  支持部
４  ボールセット部
４ｂ  側辺部
５  目盛り部
５ａ  基準線
５ｂ，５ｃ，５ｄ，５ｅ，５ｆ  目盛り線
６  ガイド部
６ａ  ガイド線
７  転がり距離表示部
８  計測部
９  換算部
１０  数値表示部
１１  電源部
１２  ケース
１３，１４  光センサ
１５  窓部
２１  ゴルフボール
【図１】
2005152075.tif 000003
【図２】
2005152075.tif 000004
【図３】
2005152075.tif 000005
【図４】
2005152075.tif 000006